(57)【要約】【課題】  従来、通水性濾過性を有したシート材料に、あらかじめ防水加工をした厚紙等で支持体を設けシート材料の周囲に端部をのこし貼着し、支持体の中央部で左右に貫通した折り目から全体を二つ折りにして、シート材料の左右端部と下方の端部の三辺を一体にして閉じて中にコーヒー粉を充填している製袋方式のコーヒーバッグでは、濾過袋形より支持体の面積が小さくカップ上に濾過袋を高く位置させ濾過袋の下部をカップ内の場面に接する事なく支持する事は容易ではなかった。【解決手段】  そのため、シート材料を二つ折りにした正面側と背面側に折り目部を介して一体の支持体を配置させ、折り目部の中央に濾過袋の上方口を設け、この上方口の左右側方と正面側と背面側の四辺側の支持体を、折り目部を伸ばし上方口を平たく形成した時、下方向に折り下げ支持辺としてカップ口部を、この四辺の支持辺で前後左右から濾過袋を支え安定して高く位置させカップ内の湯面に濾過袋の下部が浸らない様にしてドリップ性の高いコーヒーバッグとしている。【選択図】図５
2009160355.tif 000002
【特許請求の範囲】
【請求項１】
通水性濾過性を有するシート材料に、防水加工をした厚紙等の支持体をシート材料の周囲に端部をのこして一体に貼着しており、支持体は中央部に左右に貫通した折り曲げ部を有し、この折り曲げ部の中央に上方口を設け、この上方口の左右側部と上下側部を下方に折り曲げ上方口と、その周囲部を上板部とした下方向きの箱型を構成するために、上方口の上下側と左右側にそれぞれ折り曲げ部を設け四辺の側壁を下方向に折り曲げており、この四辺は互いの側方が連結した一体形であり、外折り曲げ部と内折り曲げ部からなる折り込み部を上方口の左右側壁の両側部に設けて、上下側壁の側部と一体になりながら折り込み下方向きの箱型を構成しており、左右側壁は、左右の両側部に内折り曲げ部と外折り曲げ部からなる折り込み部を有して側壁全体を折り込む大型の折り込み壁であり上下側壁は支持壁として前後に位置し、この支持壁の下端には中央部に支持凸部を有し左右両側部に支持凹部を設け、さらにその両側端には外ガードを有している、中央部の支持凸部はさらに折り曲げ部を有して折れ曲がり濾過袋の底面に先端が伸びて底支持板を有している、シート材料と支持体の貼着部は上方口の周囲の上板部と、左右の折り込み壁は上板部の巾を低辺とする三角型の貼着部であり上下の支持壁は上板部から下端の底支持板まで濾過袋の胴体部の巾で貼着部を有してシート材料と支持体は一体であり、この支持体に設けた左右に貫通した折り曲げ部から全体を二つ折りにしてシート材料の左右端部と下端部の三辺を封じてシート材料による濾過袋を構成している、このとき支持壁の底支持板をシート材料とともに内側に折り込み三辺を封じて濾過袋の底部に折り込み底部を設けている、支持体の上方口の形状にシート材料にはミシン目を入れ濾過袋の口部としている、以上の構成よりなる濾過袋内にコーヒー粉を充填して三辺を一体に封じてなることを特徴としたドリップ抽出バッグ。
【請求項２】
濾過袋の前後に位置する支持壁が濾過袋との貼着部の下方から、左右の大型の折り込み壁により剥がれやすくなる事を防ぐため、支持壁の下端部を伸ばし濾過袋の底面に折れ曲がり位置して底面部と一体に貼着した底支持板を設けている事を特徴とした請求項１記載のドリップ抽出バッグ。
【請求項３】
シート材料と支持体を一体に貼着して二つ折りしてシート材料の左右の側端部と下端部の三辺を一体に封じて濾過袋を構成するとき、濾過袋の底部を折り込み底部とするために前後の支持壁の下端に設けた底支持板とともにシート材料部を折り込んだときシート材料の下端部を折り込み部より下方に伸び出させていることで、濾過袋を構成するため左右と下端の三辺を一体に封じるとき、折り込み部を有した下端部の端部を折り込み部より下方に伸び出させ支持体の外に位置させて一体に封じやすくしている構造であることを特徴とした請求項１記載のドリップ抽出バッグ。
【発明の詳細な説明】
【技術分野】
【０００１】  本発明は飲用容器上にセットして使用する、レギュラーコーヒー等の使い捨てタイプのドリップ式抽出バッグであり、通水性濾過性を有したシート材料により構成した上方に開口部を有した濾過袋を有し、この濾過袋に防水加工をした厚紙等の部材で支持体を構成し取り付け設けて、カップ等の飲用容器の口部上に濾過袋を支持体で支持し定置させて、濾過袋内のコーヒー粉にお湯を注ぎ入れ抽出ドリップする。
【背景技術】
【０００２】  通水性濾過性を有するシート材料で濾過袋を構成する時、あらかじめこのシート材料に防水加工をした厚紙等の支持体を貼着し取り付けておき、このシート材を二つ折りにして、折り曲げて合わせた三辺のシート材の端部どうしを接着し封じながら中にコーヒー粉を充填して製造して行く製袋方式のドリップ抽出バッグがあった（特願２００１−５５６１４３）や（特開２００２−２３８７６７）及び（実開平７−２２３）などであり、基本的にこの方式では支持体より濾過袋側が全体的に大きく、二つ折りにして支持体より外に伸び出た濾過袋の三辺を封じて濾過袋を構成してドリップ抽出バッグの全体形を構成させる方式のため低コストになるのが特徴であった。【０００３】  これに比較して（実開昭５７−１４５３２２）や（特開２００４−７１１）では濾過袋より支持体側が大きく構成しており、この支持体に濾過袋を取り付けて行く支持体側を主として構成する形態であり、支持体を濾過袋より大きくできるためカップ上に濾過袋を強くしっかりと固定支持できる利点があったがその製造行程などにもより高コストになった。
（特願２００１−５５６１４３）
（特開２００２−２３８７６７）
（実開平７−２２３）
（実案登録第１４２５５４１号）
（特開２００４−７１１）
【発明の開示】
【発明が解決しようとする課題】
【０００４】  通水性濾過性を有するシート材料に、あらかじめ防水加工をした支持体を貼着しておき、このシート材を二つ折りにして、その三辺を閉じ濾過袋を形成してコーヒーバッグの全体形を構成する製袋方式の（特願２００１−５５６１４３）や（特開２００２−２３８７６７）及び（実開平７−２２３）のコーヒーバッグは低コストで生産できる点が利点となるが、濾過袋の全体形の範囲内に支持体が位置しているため、濾過袋全体の平面積より支持体側の平面積のほうが基本的に小さく小型の支持体となるため、カップ上に濾過袋を支える大きな支持力を構成することには適さず、大きな支持力を得ようとして支持体の面積を拡大すると濾過袋のサイズも大きくなって行き、カップ口径より濾過袋が大きくなるとカップ上にセットして使用できなくなる問題が生じるため支持体の面積の拡大には限界があり、この方式タイプは濾過袋形の形成保持することや、又お湯に濾過袋の下部が浸りドリップ性が低下するのを防ぐためカップ上に高く位置させる支持力を支持体が十分に構成できない課題があった。【０００５】  （実開平７−２２３）では、カップ口部を係止片でとらえることを重点に構成した支持体でありカップの口部をとらえる係止片の力は強いが、濾過袋全体の重量を高い位置で支え支持する作用が小さく吊り下げ方式となるセット法により下部がお湯に浸る状態になるためドリップ性が低い課題が生じた。【０００６】  （特開２００２−２３８７６７）では、支持体により濾過袋をカップ上に支えるためにカップの口部をとらえる係止部や、カップ上に支える支持部又、濾過袋形を形成する形成部など、必要な機能全搬を支持体で構成しているため各部の各機能に使用できる支持体の面積量が少なくなり、カップの口部上に濾過袋を保持する作用が十分えられないなど支持力の不足などの課題が生じていた。【０００７】  （特願２００１−５５６１４３）では、二つ折りにした側を上端に位置し、支持体の前面側と背面側をそれぞれ下方に長く伸ばして支持体の両端部を下方に折り曲げて（実案登録第１４２５５４１号）の様に下方向きのコの字型に形成してカップの口部にセットする方式としていたが、上方口を有する上面部の中央に左右に貫通した二つ折りにした折り目を有しているため、この折り目を伸ばし固定する必要が生じるため、その折り目の両端部を下方に折り曲げこの折り目を伸ばし固定する方式をとらなければならず、セットの際にこの折り曲げる手数や、折り曲げた片を固定する作用が弱く又、不十分なためこの片が元に戻るなどに課題があった。【０００８】  又、（特願２００１−５５６１４３）の、この課題を解決するために、二つ折りにした折り曲げ線の左右端部方向に支持体を長く伸ばして下方向きのコの字型に形成して、この支持体の左右側部を下方に折り曲げカップにセットする方式にする事で折り目部をセットと同時に伸ばし固定する事ができるが、基本的にこの方式は登録第１４２５５４１号の様にカップ口径の大小に応じて、下方に折り曲げた支持体の左右側部の開き加減で対応するため、この左右側部に一定の長さを必要としているが、支持体の左右両側部を下方に折り曲げた長さが短いと大径カップの際にカップ口部をとらえる左右の両側部が大きく外側��開き角度が急になると、この左右両側部の先端に設けたカップの口部をとらえるための係止片は、中央に位置する係止片がカップの内側をとらえ左右両端側の係止片がカップの外側面をとらえて、この係止片はカップ口部の外壁側と内壁側から一定の力で加圧してはさみ固定しており、この固定力で左右両側部が下方に折り曲げた折り曲げ方向に、さらに折れ曲がる事を防ぎ支持体全体が構成した下方向きのコの字型の形状を保持する作用を構成しており、この両側部の長さが短く十分でないとカップ口径が大きい場合に両側部の開き角度が急になりカップの外壁面をとらえる係止片がカップ外壁面をとらえきれず、カップ口部の外方向に伸びて浮いた状態になり係止片はカップ口部の内壁側と外壁側からはさみ固定する事ができなく固定力が生じなくなるため、支持体の左右側部を下方に折り曲げた左右側部の長さは、カップ口部までの一定の長さと、カップ口部を内側と外側からはさむ係止片分の長さも必要であり、この製袋方式ではカップ口径の範囲内での濾過袋の大きさで支持体がとれる左右方向への最大巾となるため、この方向に支持体を長く伸ばし左右両側部を下方に折り曲げコの字型を形成するには必要な支持体の左右巾を構成できなかった。【０００９】  （特開２００４−７１１）では、その点筒型の支持体の左右の折り目部に、折り目を伸ばし固定する折り込み部を設けて左右の折り目を半分伸ばして固定し筒型の支持体を上方から見て舟型の支持体を形成しカップ上に定置する方式でカップの口部をはさむ必要がなく定置するだけでセットでき使い安かったが、左右の折り目を伸ばす折り込み部が小型になるため固定力が弱く折り込み部が折り込んだ方向にさらに折れ曲がり固定力が低下するなどの課題があった。【００１０】  （特願２００１−５５６１４３）及び（特開２００２−２３８７６７）や（実開平７−２２３）などの製袋方式に比較して、（実案登録第１４２５５４１号）や（特開２００４−７１１）は、製作工程も多く高コストになる課題を有していたが、濾過袋より外方向に大きく伸び出た支持体の構成であるため、カップの口部より高く濾過袋を位置させドリップ性を高めたり、カップ上に支持する支持力も強く構成でき（特開２００４−７１１）ではカップにセットする際も支持体で濾過袋を開いて固定した状態を構成できカップ上に置くだけでセットできる定置方式もとれるなどセットがしやすいなどの利点を構成できる又、この定置式に比較して（特開２００１−５５６１４３）や（実案登録第１４２５５４１号）に於いては支持体の左右両端部を下方に折り曲げ、その先端部の係止片でカップ口部を内壁面と外壁面ををらえ、はさみ込む手数をセットする際に必要となる課題も有していた。
【課題を解決するための手段】
【００１１】  本発明では、通水性濾過性を有するシート材料に、あらかじめ厚紙等に防水加工をして構成した支持体を、シート材料の端部を周囲にのこして貼着し一体に取り付け、このシート材を二つ折りにして、この支持体の折り曲げ部を上に位置させたときに左右に位置する両辺と下辺の三辺に伸び出たシート材料どうしの端部を一体にして閉じ中にコーヒー粉を充填し濾過袋を構成して行く製袋方式としている。【００１２】  この時、支持体は全体を二つ折りにして構成した濾過袋の折り曲げ部を介して濾過袋の前面側と背面側に渡たり位置しており、さらに支持体はこの折り曲げ部の中心部に上方口を設けており、濾過袋の口部側はこの支持体に設けた上方口形にそってミシン目を入れ口部としている。【００１３】  濾過袋は、上方口を設けた折り曲げ部を上方に位置した時の左右方向の巾を濾過袋の上方口を開き胴体部が形成されたときカップ口径内に濾過袋が入る大さ内で大きくしており、これにより支持体の左右方向への巾を広げて支持体の左右巾を確保し、上方口から左右方向に伸びた支持体の左右それぞれの側壁を下方に折り曲げ左右側壁辺を形成して設けている又、前面側と背面側に位置して下方に伸びた支持体の二辺もそれぞれ下方に折り曲げてカップの口部をとらえ支える前面側と背面側に位置し設けた前後側壁辺であり、これにより設けた前後左右の四辺の側壁辺は、折り曲げ部の中央部に設けた上方口を、折り曲げ部を平たく伸ばして形成した時の上方口の周囲部の面を支持体が形成する上板部としたとき、この上板部と前後左右の各側壁辺を下方に折り曲げるための折り目を設けている、この各側壁辺の折り目から下方に左右側方に伸びた二辺と前面側と背面側との四辺を折り下げる事で下方向きの箱形を支持体は形成しているため、前後左右から濾過袋をカップ上に支えて安定させる支持体を構成するものである。【００１４】  上板部を中心に左右側壁と前後側壁を下方に折り曲げて構成した四辺の側壁は、互いの左右側部どうしが連結した一体型であり、互いの側部間に折り込み部を設けて下方向きの箱形を形成しており、この場合は、左右側壁の両側端部にそれぞれ折り込み部を構成し有しており、この折り込み部は内方向に折り曲げた内折り曲げ部と、外方向に折り曲げた外折り曲げ部によって構成した折り曲げ部を有した左右の側壁全体を折り込んで折り込み部としている。【００１５】  左右側壁は両端部を折り込み前後側壁の間に位置するが、カップ口部をとらえる支持辺となる前後側壁はそれぞれの先端部に於いて、中央部が下方に伸び出たカップ内壁をとらえる支持凸部を有しており、さらに、この支持凸部の両側部には広巾の係止凹部としており、さらに、この係止凹部の外側の端部にはカップ口部の上端をとらえた係止凹部がカップ口部からはずれる事を防ぐために、カップ口部の外側に位置し下方に伸び出た外ガードを設けてカップの外壁面をとらえられる様にしている。【００１６】  前後側壁の下端部中央に設けた支持凸部は、先端に設けた折り曲げ部から折れ曲がり濾過袋の底部に伸び出た底支持板を有しており、これは濾過袋の底面に貼着し一体になり位置している。【００１７】  シート材料と支持板の貼着部は支持板の上方口の周囲部となる上板部と前後側���の中央部に於いて濾過袋を開いた時の胴体部巾で下方部の底支持板までを有し、左右側壁は上方口側から上板部の巾で左右それぞれ外方向で中心に向けて端部までの三角型をした貼着部である。【００１８】  シート材料の周囲に端部をのこし一体に貼着した支持体からなる部材を二つ折りにしてシート材料どうしを三辺で封じ濾過袋を構成するとき、濾過袋の底部に折り込み部を設けて封じるため底支持板を折り曲げ部からシート材料とともに内側に折り込みシート材の端部は折り込み部より下方に伸び出た状態で折り込み下端部を形成し、左右の二辺と下端部の辺の三辺のシート材料の端部を支持体の外側に位置させシート材の端部どうしを一体に封じて濾過袋を構成している。
【発明の効果】
【００１９】  通水性濾過性を有するシート材料に、あらかじめ厚紙等に防水加工をして構成した支持体を、シート材料の端部を周囲にのこし位置して貼着し一体に取り付け、このシート材料を二つ折りにして、この折り曲げ部を上に位置させた時に左右に位置する両辺と下辺の三辺でシート材料どうしの端部を一体にして閉じ濾過袋を構成する製袋方式で低コストでありながらシート材料の面積より小さい支持体で濾過袋をカップ上に高く位置させ支持してドリップ性を高めるため、支持体に設けた上方口の左右側方に伸び出て下方に折り曲げた左右の側壁辺と前後側壁辺の四辺の側壁辺は、互いの側部どうしが連結した一体形であり、互いの側壁辺の側部間に折り込み部を設けて下方向きの箱形を形成しているため左右、前後の各側壁辺が側部どうしで支え合い、側壁辺自体の折れ曲がりや変形に強くなり、又さらに折り込み部の折り曲げがさらに縦方向への変形に対する強度を強めてカップ上での支持力を高めている。【００２０】  支持体の中央部に設けた上方口とその周囲部を底面として左右側方を下方に折り曲げた左右側壁とし、上下側方も下方に折り曲げ前後側壁とした下方向きの箱型を構成したとき、前後側壁がカップ口部をとらえる支持壁であり、左右側壁は前後側壁の間で左右側壁の両端部側にそれぞれ２本の折り目を有した折り込み部を有して前後側壁側と連結した状態で下方向きの箱型を形成しており、前後側壁の中央部内壁とシート材により構成した濾過袋の前後側の胴体面とが、それぞれ一体に貼着しており濾過袋の胴体形が前後側壁の開き巾を制限した状態で左右側壁全体が両端部を折り込み前後側壁の間に折り込まれるため大型の折り込み部となり又、左右側壁はそれぞれ両側端部に２本の折り目を有して前後壁の間に左右側壁の側壁全体が大きく入り込み固定されるため元に戻りづらく安定するため固定性が高く、固定力も強い折り込み固定部である。【００２１】  前後側壁の間に位置し折り込まれた左右の側壁は、前後側壁の間隔を固定する力が強いため、濾過袋の外壁面と前後壁の内壁面との貼着部が下方部側からのはがれが生じやすくなるため、前後側壁の下端部の中央側に設けた支持凸部を、さらに長く下方に伸ばし濾過袋の底部側に折り曲げ位置させ濾過袋の底部側に折り曲げ位置させ濾過袋の底部の外壁面に貼着し一体にして、濾過袋との貼着面に対して面方向への引っ張り作用にしているため支持体のはがれが生じなくなる。
【発明を実施するための最良の形態】
【００２２】  以下、本発明の実施の形態を図１〜図５に基づいて説明する、図１に示す様に、通水性濾過性を有するシート材料１に、防水加工をした厚紙等の部材により構成した支持体２を、シート材料１の周囲に端部２６をのこし位置させ支持体２の中央の上方口４の周囲に設けられた上板部１８部の貼着部２１と各側壁辺の貼着部２０と貼着部１９で一体に貼着しており、この支持体２は中央部に左右に貫通した折り曲げ部３を設けており、シート材料１には、この上方口４部の形状にシート材料１にはミシン目５を設けて濾過袋１７の口部２３としている。【００２３】  支持体２には上方口４の左右側方の側壁を下方に折り曲げ左右の折り込み壁６を設けるために上板部１８の左右側部に折り目７を設けており、上方口４の上下側の側壁も折り曲げ前後側の支持壁８とするため折り目７を設けている、この支持壁８は、それぞれ折り曲げた下向の先端部に、カップ口部の内壁をとらえるための支持凸部９を中央部に設け、その左右側部にはカップ口部の上端をとらえるための広巾の係止凹部１０を設けている、さらにその左右側端部にはカップ口部の外壁面をとらえる外ガード１１を設け有している。【００２４】  これら左右二辺の折り込み壁６と上下二辺の支持壁８の四側壁辺は互いの左右側部で連結した一体形とするため、左右側の折り込み壁６と上下の支持壁８の互いの側端部の間を折り込み、下方向きの箱型を形成しており四辺の側壁間の中間に外折り曲げ部１２を設け、折り込む側の側壁となる折り込み壁６側の両側部に内折り曲げ部１３を設けて構成した折り込み部により、折り込み壁６側の両側部を前後の支持壁８の間に折り込み構成して、支持体２による下方向きの箱形を形成している。【００２５】  図２〜図３に示す様に、支持体２の折り曲げ部３から下方に二つ折りにしてシート材料１の下端部１４部どうしを一体にして閉じるとき、この下端部側の底支持板２４とシート材料１を内側に折り曲げ部２７を設けて折り込み、折り込み底１６を構成できる様にしており、下端部１４と左右の側端部１５を一体にして三辺を閉じながら中にコーヒー粉を充填し濾過袋１７を構成している。【００２６】  図４と図５に示す様に、上方口４部に設けたシート材料１のミシン目５部を切り取り濾過袋１７の口部２３を開放し支持体２の折り曲げ部３を開き上板部１８を平たく形成し、濾過袋１７を開いた袋状に形成すると、この時に濾過袋１７の前後側に位置する支持壁８の内壁面と濾過袋１７の外壁の面とが図１に示す様に貼着部１９で一体に貼着されているため、図１に示す様に上方口４の側の折り目７から濾過袋１７の前後側に位置する支持壁８は平行に位置し開き巾が固定状態となり、折り込み壁６は上方口４側を底辺とする三角型の貼着部２０であるため濾過袋１７の外方向への開き角度は自在状態にあり、この左右の折り込み壁６の側部を前後の支持壁８の間に折り込むため両端部に設けた外折り曲げ部１２と内折り曲げ部１３とでなる折り込み部２５で折り込み濾過袋１７の胴体部の巾分で前後側壁の支持壁８の開き巾を固定し位置させ、前後壁８の下端に設けた支持凸部９をカップ内に位置させセットしたときカップ口径の大小に対して広巾の係止凹部１０がカップの口部の位置に合わせて��らえ対応し、左右側端に設けた外ガード１１はカップ口部の外壁部をとらえている。【００２７】  図４と図５に示す様に、四辺の側壁辺を下方に折り曲げカップにセットした時に、左右の折り込み壁６から上板部１８にかけて渡り伸びた、折り曲げ部３を、折り目７から折り込み壁６を折り曲げ前後支持壁８の間に折り込まれたことで、折り曲げ部３の折り目が伸びた状態を構成し固定する。【００２８】  支持壁８の下端に設けた支持凸部９から濾過袋１７の底部に折り曲げ部２７から折り曲がり伸びて濾過袋１７の底面２８に一体に貼着した底支持板は大型の折り込み部２５を構成した折り込み壁６が前後に配置した支持壁８の間に折り込み位置し強く前後の支持壁８の間を開き固定するため濾過袋１７と前後に配置した支持壁８との貼着部１９が下端部側からはがれる事を防ぐため底支持板２４が底面２８側に伸び出て位置し面方向への引っ張り作用に変えて貼着部１９のはがれを防いでいる。
【図面の簡単な説明】
【００２９】
【図１】  本発明の展開図
【図２】  本発明の底部側の折り込み部を示す斜視図
【図３】  本発明の三辺を封じた状態の正面図
【図４】  本発明の組み立て状態の斜視図
【図５】  本発明のカップへセットした状態の斜視図
【００３０】１．シート材料
２．支持体
３．折り曲げ部
４．上方口
５．ミシン目
６．折り込み壁
７．折り目
８．支持壁
９．支持凸部
１０．係止凹部
１１．外ガード
１２．外折り曲げ部
１３．内折り曲げ部
１４．下端部
１５．側端部
１６．折り込み底部
１７．濾過袋
１８．上板部
１９．貼着部
２０．貼着部
２１．貼着部
２２．カップ
２３．口部
２４．底支持板
２５．折り込み部
２６．端部
２７．折り曲げ部
２８．底面
【図１】
2009160355.tif 000003
【図２】
2009160355.tif 000004
【図３】
2009160355.tif 000005
【図４】
2009160355.tif 000006
【図５】
2009160355.tif 000007